(57)【要約】      （修正有）【課題】組み立てや再封の操作が容易で、しかも良好な不正開封防止の効果が得られる不正開封防止機能付き包装箱を提供する。【解決手段】第一の側面板２６の第一端部２６ａに延設され、第一の側面板２６に対向する第二の側面板２２と重ならずに筒体の一端部を塞ぐ蓋片６６を備える。蓋片６６の先端部に延設され、第二の側面板２２の第二端部２２ａの内面側に差し込まれる差し込み片７０を備える。第二端部２２ａには突片５４が延設されている。突片５４は、蓋片６６を閉鎖する時、蓋片６６の表面側に重なるように倒れ、封緘テープが蓋片６６、突片５４及び第二の側面板２２に順に跨がって貼着できるように設けられている。【選択図】図２
0003224322.tif 000002
【実用新案登録請求の範囲】
【請求項１】
筒体を形成する複数の側面板と、前記複数の側面板の中の１つである第一の側面板の第一端部に延設され、前記第一の側面板に対向する第二の側面板と重ならずに前記筒体の一端部を塞ぐ蓋片と、前記蓋片の先端部に延設され、前記第二の側面板の第二端部の内面側に差し込まれる差し込みフラップとを備え、封緘テープが前記蓋片及び前記第二の側面板に跨って貼着されることによって前記蓋片が閉鎖状態に固定される箱体であって、
前記第二端部に突片が延設され、前記突片は、前記蓋片を閉鎖する時、前記蓋片の表面側に重なるように倒れ、前記封緘テープを、前記蓋片、前記突片及び前記第二の側面板に順に跨がって貼着できるように設けられていることを特徴とする不正開封防止機能付き包装箱。
【請求項２】
前記突片は、前記封緘テープが前記蓋片、前記突片及び前記第二の側面板に順に跨がるように貼着された状態で、前記封緘テープによって全体が覆われるように設けられている請求項１記載の不正開封防止機能付き包装箱。
【請求項３】
前記蓋片の内側に、表面側に凸のエンボス状に形成された凸領域が設けられ、前記突片は、前記蓋片を閉鎖する時、前記蓋片の表面側に重なるように倒れ、表面が前記凸領域の上面と面一になり、先端縁が前記凸領域の端縁に沿って近接配置されるように設けられ、前記凸領域は、前記封緘テープを、前記凸領域、前記突片及び前記第二の側面板に順に跨がって貼着できるように設けられている請求項１又は２記載の不正開封防止機能付き包装箱。
【請求項４】
前記第二の側面板には、前記第二の側面板の中の前記封緘テープが貼着された部分を、その他の部分から分離させるための開封用破断線が設けられている請求項１乃至３のいずれか記載のロック機能付き包装箱。
【考案の詳細な説明】
【技術分野】
【０００１】
この考案は、封緘テープによって閉鎖状態に固定された蓋片が不正に開封されるのを防止する構造を備えた不正開封防止機能付き包装箱に関する。
【背景技術】
【０００２】
従来、例えば特許文献１に開示されているように、背面板上端に蓋板及び差し込み片を順に連接して成る上面解放状の箱体であって、差し込み片が、蓋片の先端部のおよそ中央部に折り目を介して下方に折り曲げられた中央部舌片と、中央部舌片を左右から挟むように配置された２つの挿入片とに分割されている紙箱があった。蓋板を閉鎖する時は、２つの挿入片が正面板の内面側に挿入され、中央部舌片が正面板の外面に重なり、封緘テープが蓋板、中央舌片及び正面板に順に跨るように貼着され、蓋板が閉鎖状態に固定される。
【０００３】
差し込み片が分割されていない普通の紙箱の場合、蓋板を閉鎖する時は、蓋板を倒し、差し込み片を正面板の内面側に差し込んで係止させた後、封緘テープを蓋板及び正面板に跨がるように貼着する。つまり、組み立て状態で、蓋板と正面板との隙間に封緘テープが張架される形になる。そのため、不正開封しようとする者は、蓋板と正面板との隙間にカッター刃等を差し込んで慎重に封緘テープを切断すれば、箱体に痕跡（キズや変形）を残さずに開封することができた。そして、そのまま蓋板を閉じられると、外観上、開封されたことが判別しにくく、さらに、透明なテープや糊で封緘を復元することも可能であった。
【０００４】
これに対して、特許文献１の紙箱の場合、蓋板を閉鎖する時、蓋板を倒し、２つの挿入片を正面板の内側へ差し込んで係止させた後、中央部舌片を正面板の外側に重ね、封緘テープを蓋板、中央舌片及び正面板に順に跨るように貼着する。つまり、組み立て状態で、蓋板と正面板との隙間に、封緘テープ及び中央部舌片が互いに重なって張架される形になる。そのため、不正開封しようとする者がカッター刃で封緘テープを切断しようとすると、中央部舌片も一緒に切り離されたり、中央部舌片の表面にキズが残ったりする。したがって、外観上、不正に開封されたことを容易に判別することができ、良好な不正開封防止効果が得られる。
【先行技術文献】
【特許文献】
【０００５】
【特許文献１】実用新案登録第３０１８５５２号公報
【考案の概要】
【考案が解決しようとする課題】
【０００６】
特許文献１の紙箱は、差し込み片の、正面板の内側に差し込まれる２つの挿入片が左右に離れて配置されているので、商品等を包装する作業者が紙箱を組み立てて蓋板を閉鎖する時、２つの挿入片を正面板の内面側に差し込んで係止させる操作がそれほど簡単ではなく、作業に手間取ってしまうという問題がある。また、一般の使用者（特に、お年寄りや小児等）が、紙箱を開封した後、蓋板を閉じて再封するのに苦労するという問題がある。
【０００７】
本考案は、上記背景技術に鑑みて成されたものであり、組み立てや再封の操作が容易で、しかも良好な不正開封防止の効果が得られる不正開封防止機能付き包装箱を提供することを目的とする。
【課題を解決するための手段】
【０００８】
本考案は、筒体を形成する複数の側面板と、前記複数の側面板の中の１つである第一の側面板の第一端部に延設され、前記第一の側面板に対向する第二の側面板と重ならずに前記筒体の一端部を塞ぐ蓋片と、前記蓋片の先端部に延設され、前記第二の側面板の第二端部の内面側に差し込まれる差し込みフラップとを備え、封緘テープが前記蓋片及び前記第二の側面板に跨って貼着されることによって前記蓋片が閉鎖状態に固定される箱体であって、前記第二端部に突片が延設され、前記突片は、前記蓋片を閉鎖する時、前記蓋片の表面側に重なるように倒れ、前記封緘テープを、前記蓋片、前記突片及び前記第二の側面板に順に跨がって貼着できるように設けられている不正開封防止機能付き包装箱である。
【０００９】
前記突片は、前記封緘テープが前記蓋片、前記突片及び前記第二の側面板に順に跨がるように貼着された状態で、前記封緘テープによって全体が覆われるように設けられていることが好ましい。
【００１０】
また、前記蓋片の内側に、表面側に凸のエンボス状に形成された凸領域が設けられ、前記突片は、前記蓋片を閉鎖する時、前記蓋片の表面側に重なるように倒れ、表面が前記凸領域の上面と面一になり、先端縁が前記凸領域の端縁に沿って近接配置されるように設けられ、前記凸領域は、前記封緘テープを、前記凸領域、前記突片及び前記第二の側面板に順に跨がって貼着できるように設けられていることが好ましい。
【００１１】
さらに、前記第二の側面板には、前記第二の側面板の中の前記封緘テープが貼着された部分を、その他の部分から分離させるための開封用破断線が設けられていることが好ましい。
【考案の効果】
【００１２】
本考案の不正開封防止機能付き包装箱は、組み立て状態で、蓋片と第二の側面板との隙間に、封緘テープ及び突片が互いに重なって張架される形になるので、特許文献１の紙箱と同様に、良好な不正開封防止効果が得られる。また、差し込み片が普通の形状（分割されていない形状）なので、組み立てや再封の操作も容易である。
【図面の簡単な説明】
【００１３】
【図１】本考案の不正開封防止機能付き包装箱の第一の実施形態の組み立て状態を示す斜視図（ａ）、蓋部を拡大した斜視図（ｂ）である。
【図２】第一の実施形態の不正開封防止機能付き包装箱を展開した箱体形成片を表面側から見た平面図（ａ）、Ａ−Ａ断面図（ｂ）である。
【図３】第一の実施形態の不正開封防止機能付き包装箱の組み立て状態における蓋部の縦断面図（ａ）、比較例の包装箱の蓋部の縦断面図（ｂ）である。
【図４】本考案の不正開封防止機能付き包装箱の第二の実施形態の組み立て状態を示す斜視図（ａ）、蓋部を拡大した斜視図（ｂ）である。
【図５】第二の実施形態の不正開封防止機能付き包装箱を展開した箱体形成片を表面側から見た平面図である。
【図６】第二の実施形態の不正開封防止機能付き包装箱の組み立て状態を示す平面図（ａ）、蓋部の縦断面図（ｂ）である。
【考案を実施するための形態】
【００１４】
以下、本考案の不正開封防止機能付き包装箱の第一の実施形態について、図１〜図３に基づいて説明する。この実施形態の不正開封防止機能付き包装箱１０は、図１（ａ）、（ｂ）に示すように、筒体１２の両端が蓋部１４及び底部１６で閉鎖された直方体形状の箱体である。蓋部１４は、封緘テープＦＴを貼着することによって閉鎖状態に固定されている。
【００１５】
不正開封防止機能付き包装箱１０は、厚紙等で成る一枚の箱体形成片１８を組み立てることによって形成される。箱体形成片１８は、図２（ａ）に示すように、互いに平行に連接された４つの側面板２０，２２，２４，２６を有している。側面板２０，２２，２４，２６は、連接している幅方向の長さは同じであり、連接方向の長さは、側面板２０，２４が短くて互いにほぼ等しく、側面板２２，２６が長くて互いにほぼ等しい。
【００１６】
側面板２６の連接方向の端部には、糊付け片２８が短く連接されている。糊付け片２８は、筒体１２を形成するため、組み立て時に側面板２０の端部に糊付けされる部分である。４つの側面板２０，２２，２４，２６及び糊付け片２８は、各々折罫線３０，３２，３４，３６で互いに区切られている。以下、側面板２６を第一の側面板２６と称し、側面板２２を第二の側面板２２と称する。
【００１７】
各側面板の、図２（ａ）における上側の端部には、蓋部１４を形成するための部材が延設され、下側の端部には、底部１６を形成するための部材が延設されている。
【００１８】
側面板２０，２４の上側の端部にはサイドフラップ３８，４０が延設され、各々折罫線４２，４４で側面板２０，２４と区切られている。また、側面板２０，２４の下側の端部には、サイドフラップ４６，４８が延設され、各々折罫線５０，５２で側面板２０，２４と区切られている。
【００１９】
第二の側面板２２の上側の端部（以下、第二端部２２ａと称する。）の中央部には、略長方形の突片５４が延設され、折罫線５６で第二の側面板２２と区切られている。突片５４の延出長さは、側面板２０，２４の連接方向長さの約1/4に設定され、幅は、封緘テープＦＴの幅よりも広く、第一及び第二の側面板２２，２６の連接方向長さの約2/5に設定されている。そして、第二の側面板２２の内側に、折罫線５６の両端部を起点とするコの字状の開封用破断線５８が設けられている。折罫線５６と開封用破断線５８とで囲まれた部分は、開封時に指で押し破られる押圧部６０となる。
【００２０】
第二の側面板２２の下側の端部には、略長方形の外底片６２が延設され、折罫線６４で第二の側面板２２と区切られている。外底片６２の延出長さは、側面板２０，２４の連接方向長さとほぼ同じである。
【００２１】
第一の側面板２６の上側の端部（以下、第一端部２６ａと称する。）には、略長方形の蓋片６６が延設され、折罫線６８で第一の側面板２６と区切られている。蓋片６６の延出長さは、側面板２０，２４の連接方向長さとほぼ同じである。そして、蓋片６６の先端部に、差し込み片７０が延設され、折罫線７２で蓋片６６と区切られている。差し込み片７０は、組み立て状態で第二の側面板２２の内面側に差し込まれて係止される部分であり、押圧部６６が内側に収まる大きさに形成され、先端側の両角部が丸く面取りされている。
【００２２】
さらに、蓋片６６の内側の、幅方向の中央部に、幅広な長方形の凸領域７４が設けられている。凸領域７４は、図２（ｂ）に示すように、表面側に凸のエンボス状に形成された領域であり、上面７４ａがほぼ平坦で、蓋片６６の表面から箱体形成片１８の板厚分ほど突出している。凸領域７４の幅は、突片５４の幅とほぼ同じで、凸領域７４の折罫線７２側の端縁と折罫線７２との離間距離は、突片５４の延出長さとほぼ同じである。
【００２３】
第一の側面板２６の下側の端部には、略長方形の内底片７６が延設され、折罫線７８で第一の側面板２６と区切られている。内底片７６の延出長さは、側面板２０，２４の連接方向長さよりも僅かに短い。さらに、折罫線７８の両端から内向きに各々所定長さに亘って解体用破断線８０ａが設けられ、第一の側面板２６の内側に、各解体用破断線８０ａの内側先端部を起点とする半円形の解体用破断線８０ｂが設けられている。折罫線７８の中央部と解体用破断線８０ｂとで囲まれた部分は、不正開封機能付き包装箱１０を解体する時に指で押し破られる押圧部８２となる。
【００２４】
次に、不正開封防止機能付き包装箱１０の組み立て方法の一例を説明する。ここでは、図２（ａ）に示す箱体形成片１８の各折罫線の折り曲げ方について、表面が凸になる折り方を正折り、裏面が凸になる折り方を逆折りと称する。
【００２５】
まず、箱体形成片１８の折罫線３４を正折りして糊付け片２８及び第一の側面板２６を第二の側面板２２及び側面板２４に重ねる。そして、糊付け片２８の表面に糊を塗布した後、折罫線３０正折りして側面板２０を糊付け片２８に重ね、側面板２０の端部の裏面を糊付け片２８に糊付けする。箱体形成片１８はこの折り畳み状態で不正開封防止機能付き包装箱１０の製造工場等から出荷される。
【００２６】
次に、収容物の包装を行う工場等において、箱体形成片１８の折罫線３０，３２，３４，３６を各々９０度に正折りし、側面板２０，２２，２４，２６で成る四角形の筒体１２を形成する。そして、折罫線５０，５２でサイドフラップ４６，４８を各々９０度に正折りし、折罫線７８で内底片７６を９０度に正折りし、内底片７６の表面に糊を塗布した後、外底片６２を９０度に正折りして内底片７６に重ね、外底片６２の裏面を内底片７６に糊付けする。これで、筒体１２の一端部がシールエンド型の底部１６で閉鎖され、反対側の開放している端部から収容物を入れる。
【００２７】
収容物を入れると、次は、蓋部１４を形成する操作を行う。まず、折罫線４２，４４でサイドフラップ３８，４０を各々９０度に正折りし、その後、折罫線７２で差し込み片７０を９０度に正折りし、折罫線６８で蓋片６６を９０度に正折りし、差し込み片７０を第二の側面板２２の内面側（押圧部６０の内面側）に差し込んで係止させる。そして折罫線５６で突片５４を９０度に正折りし、突片５４を蓋片６６の表面に重ねる。突片５４を蓋片６６の表面に重ねると、突片５４の表面が凸領域７４の上面７４ａとほぼ面一になり、突片５４の先端縁が凸領域７４の端縁に沿って近接配置される。
【００２８】
そして、封緘テープＦＴを、凸領域７４、突片５４、及び第二の側面板２２の押圧部６０に順に跨がるように貼着し、蓋片６６を閉鎖状態に固定すると、筒体１２の蓋部１４が形成され、図１（ａ）、（ｂ）及び図３（ａ）に示す組み立て状態になる。
【００２９】
不正開封防止機能付き包装箱１０を正規に開封する時は、押圧６０を指で押して開封用破断線５８を破断させ、押圧部６０を第二の側面板２２から分離させる。これで蓋片６６が開閉可能になり、蓋片６６を引き上げた後、サイドフラップ３８，４０を引き上げると、蓋部１２が広く開放し、中の収容物を取り出すことができる。突片５４及び押圧部６０は、封緘テープＦＴで蓋片６６に接続されているのでゴミにはならない。
【００３０】
不正開封防止機能付き包装箱１０を開封した後、再封する時は、サイドフラップ３８，４０及び蓋片６６を順に倒し、再び差し込み片７０を第二の側面板２２の内面側に差し込んで係止させる。また、不正開封防止機能付き包装箱１０を開封した後、廃棄する時は、押圧部８２を押して解体用破断線８０ｂを破断させ、外底片６２及び内底片７６を引き上げて解体用破断線８０ａを破断させて底部１６を解体する。これで、立体的な箱体を薄く折り畳むことができ、コンパクトに廃棄することができる。
【００３１】
不正開封防止機能付き包装箱１０は、組み立て状態で、蓋片６６と第二の側面板２２との隙間に封緘テープＦＴ及び突片５４が互いに重なって張架される形になるので、特許文献１の紙箱と同様に、良好な不正開封防止効果が得られる。また、差し込み片７０が普通の形状（分割されていない形状）なので、組み立てや再封の操作も容易である。
【００３２】
また、蓋片６６の凸領域７４は、不正開封するのをさらに難しくしている。例えば、不正開封防止機能付き包装箱１０から凸領域７４を省略した比較例の包装箱１０ｘについて考えると、比較例の包装箱１０ｘは、図３（ｂ）に示すように、組み立て状態で、突片５４の先端縁と蓋片６６の表面との境界部に段差が発生する。したがって、作業者が封緘テープＦＴを急いで貼着した時や作業ばらつきが生じた時、封緘テープＦＴが段差のところで斜めに張架されることが考えられる。
【００３３】
そうすると、不正開封しようとする者は、斜めに張架された部分ＦＴａ（特に蓋片６６に近い位置）に沿って直線的にカッター刃ＣＵを入れれば、箱体に痕跡（キズや変形）を残さずに封緘テープＦＴを切断できるので、十分な不正開封防止効果が得られない可能性がある。また、封緘テープＦＴが図３（ｂ）に示す状態に保持されると、部分ＦＴａはシール性があまり低下しないので、蓋部１４が元の閉鎖状態に戻され、部分ＦＴａを蓋片６６の表面に丁寧に貼着されると、外観上、開封されたことを判別できなくなる可能性がある。
【００３４】
これに対して、図３（ａ）に示す不正開封防止機能付き包装箱１０は、凸領域７４を設けることによって、部分ＦＴａのように箱体の表面から浮き上がる部分をほぼ無くすことができ、不正開封しようとする者は、カッター刃ＣＵをどのように使用しても、箱体に痕跡（キズや変形）を残さずに封緘テープＦＴを切断することは困難である。したがって、包装箱１０ｘよりも優れた不正開封防止効果が得られる。
【００３５】
次に、本考案の不正開封防止機能付き包装箱の第二の実施形態について、図４〜図６に基づいて説明する。ここで、上記の不正開封防止機能付き包装箱１０と同様の構成は、同一の符号を付して説明を省略する。
【００３６】
この実施形態の不正開封防止機能付き包装箱８４は、図４（ａ）、（ｂ）に示すように、筒体１２の両端が蓋部１４及び底部１６で閉鎖された直方体形状の箱体である。蓋部１４は、上記と同様の封緘テープＦＴを貼着することによって閉鎖状態に固定されている。
【００３７】
不正開封防止機能付き包装箱８４は、厚紙等で成る一枚の箱体形成片８２を組み立てることによって形成される。箱体形成片８６は、図５に示すように、上記の箱体形成片１８と類似しており、相違しているのは、突片８８の大きさ及び形状が上記の突片５４と異なっている点と、凸領域７４が省略されている点である。
【００３８】
突片８８は、第二端辺２２ａの中央部に延設され、折罫線５６で第二の側面板５６で第二の側面板２２（押圧部６０）と区切られている。突片８８の形状は略半円形であり、突片８８の延出長さは、上記の突片５４の延出長さの約半分で、幅は、封緘テープＦＴの幅よりも狭く設定されている。
【００３９】
不正開封防止機能付き包装箱８４は、上記と同様の方法で組み立てることができ、組み立て状態の蓋部１４は、図６（ａ）、（ｂ）に示すように、突片８８が蓋片６６の表面側に重なるように倒れ、封緘テープＦＴが蓋片６６、突片８８、及び第二の側面板２２の押圧部６０に順に跨がるように貼着される。特徴的なのは、封緘テープＦＴが突片８８の全体を覆うように貼着される点である。
【００４０】
不正開封防止機能付き包装箱８４は、凸領域７４を有していないので、図６（ｂ）に示すように、組み立て状態で、突片８８の先端縁と蓋片６６の表面との境界部に段差が発生する。したがって、図３（ｂ）に示す比較例の包装箱１０ｘと同様に、封緘テープＦＴが段差のところで斜めに張架されることが考えられる。そのため、不正開封しようとする者は、斜めに張架された部分ＦＴａに沿ってカッター刃ＣＵを入れれば、封緘テープＦＴを切断することができる。
【００４１】
上記の比較例の包装箱１０ｘの場合、カッター刃ＣＵを直線的に移動させるだけでよいので、慎重に作業を行えば、封緘テープＦＴを比較的綺麗に切断することができる。しかしながら、不正開封防止機能付き包装箱８４の場合は、半円形の突片８８全体が封緘テープＦＴに覆われているので、カッター刃ＣＵを直線的に移動させるだけでは切断できないので、作業を慎重に行ったとしても、封緘テープＦＴを綺麗に切断することは困難である。したがって、必ず不正開封したことを示す痕跡が残り、十分な不正開封防止効果が得られる。
【００４２】
このように、不正開封防止機能付き包装箱８４においても、上記の不正開封防止機能付き包装箱１０と同様の優れた効果を得ることができる。
【００４３】
なお、本考案の不正開封防止機能付き包装箱は、上記実施形態に限定されるものではない。例えば、第二端辺に延設される突片の形状は自由に変更することができる。上記の不正開封防止機能付き包装箱１０は、突片５４が幅広の長方形であり、先端縁が直線状になっているが、例えば先端縁を円弧形に膨出させてもよい。この場合、凸領域７４の折罫線７２側の端縁の形状を突片５４の形状に合わせて内向きに凹ませることによって、上記と同様の効果が得られる。
【００４４】
また、上記の不正開封防止機能付き包装箱８４は、突片８８が幅狭な半円形であり、先端縁が緩やかな曲線になっているが、例えば三角波状、正弦波状あるいは矩形波状のキザギザを付けてもよい。これによって、封緘テープをカッター刃で綺麗に切断するのがより困難になり、不正開封防止効果をさらに向上させることができる。また、蓋片６６に凸領域７４を付加してもよい。
【００４５】
その他、底部の構成は、上記の底部１６のようなシールエンド型に限定されず、自由に変更することができ、例えば、例えば蓋部と同じ構造にしてもよい。
【符号の説明】
【００４６】
１０，８４  不正開封防止機能付き包装箱
１２  筒体
２０，２４  側面板
２２  第二の側面板
２２ａ  第二端部
２６  第一の側面板
２６ａ  第一端部
５４，８８  突片
５８  開封用破断線
６６  蓋片
７０  差し込み片
７４  凸領域
７４ａ  上面
ＦＴ  封緘テープ
ＦＴａ  部分
【図１】
0003224322.tif 000003
【図２】
0003224322.tif 000004
【図３】
0003224322.tif 000005
【図４】
0003224322.tif 000006
【図５】
0003224322.tif 000007
【図６】
0003224322.tif 000008